(57)【要約】【課題】遠隔から電子機器を制御しようとする場合、記憶が困難な電子機器識別子を用いて電子機器をアクセスする必要があり、極めて不便である、という課題があった。【解決手段】各々ネットワークで接続され得る電子機器と情報処理装置とサーバ装置とポータル装置を有する情報処理システムであって、情報処理装置は、ユーザ識別情報を有するアクセス命令の入力を受け付けた場合に、ポータル装置にアクセス命令を送信し、１以上の電子機器を制御する画面を構成するための情報である機器制御画面情報を、ポータル装置経由でサーバ装置から取得し、当該機器制御画面情報から構成した機器制御画面を出力し、機器制御画面の出力に対応する入力を受け付け、電子機器にアクセスすることにより、メールアドレス等の、通常ユーザが記憶しているユーザ識別情報により、遠隔地から電子機器を制御できる。【選択図】  図２
2004200854.tif 000002
【特許請求の範囲】
【請求項１】
各々ネットワークで接続され得る電子機器と情報処理装置とサーバ装置とポータル装置を有する情報処理システムであって、
前記電子機器は、
前記情報処理装置からのアクセスにより動作する動作部を具備し、
前記情報処理装置は、
ユーザを識別する情報であるユーザ識別情報を有するアクセス命令の入力を受け付けるアクセス命令受付部と、
前記ポータル装置にアクセスするための情報であるポータル装置アクセス情報を格納しているポータル装置アクセス情報格納部と、
前記アクセス命令受付部がアクセス命令の入力を受け付けた場合に、前記ポータル装置アクセス情報によりアクセス可能な前記ポータル装置に前記アクセス命令を送信し、１以上の電子機器を制御する画面を構成するための情報である機器制御画面情報を、前記アクセス命令が有するユーザ識別情報に基づいて前記ポータル装置から取得する機器制御画面情報取得部と、
前記機器制御画面情報から機器を制御する画面である機器制御画面を構成し、出力する機器制御画面出力部と、
前記機器制御画面の出力に対応する入力を受け付ける機器制御入力受付部と、
前記機器制御入力受付部で受け付けた入力に対応して電子機器にアクセスする電子機器アクセス部を具備し、
前記サーバ装置は、
電子機器にアクセスするために必要な情報である電子機器アクセス情報と電子機器の名称を示す情報であるニックネームと電子機器識別子とユーザ識別情報を有する機器制御レコードを１以上有する機器制御画面情報を格納している機器制御画面情報格納部と、
前記ポータル装置を経由した情報処理装置からのアクセスに基づいて、前記機器制御画面情報格納部が格納している１以上の機器制御レコードを選択し、当該選択した１以上の機器制御レコードを有する機器制御画面情報を前記ポータル装置に送信する機器制御画面情報送信部を具備し、
前記ポータル装置は、
前記サーバ装置にアクセスするための情報であるサーバ装置アクセス情報を格納しているサーバ装置アクセス情報格納部と、
前記情報処理装置から前記アクセス命令を受信するアクセス命令受信部と、
前記アクセス命令受信部が前記アクセス命令を受信した場合に、前記サーバ装置アクセス情報に基づいて前記サーバ装置にアクセスし、前記アクセス命令が有するユーザ識別情報に対応する１以上の機器制御レコードを有する機器制御画面情報を前記サーバ装置から受信し、当該機器制御画面情報を前記情報処理装置に送信する機器制御画面情報中継部を具備する情報処理システム。
【請求項２】
各々ネットワークで接続され得る電子機器と情報処理装置と２以上のサーバ装置とポータル装置を有する情報処理システムであって、
前記電子機器は、
前記情報処理装置からのアクセスにより動作する動作部を具備し、
前記情報処理装置は、
ユーザを識別する情報であるユーザ識別情報を有するアクセス命令の入力を受け付けるアクセス命令受付部と、
前記ポータル装置にアクセスするための情報であるポータル装置アクセス情報を格納しているポータル装置アクセス情報格納部と、
前記アクセス命令受付部がアクセス命令の入力を受け付けた場合に、前記ポータル装置アクセス情報によりアクセス可能な前記ポータル装置に前記アクセス命令を送信し、１以上の電子機器を制御する画面を構成するための情報である機器制御画面情報を、前記アクセス命令が有するユーザ識別情報に基づいて前記ポータル装置から取得する機器制御画面情報取得部と、
前記機器制御画面情報から機器を制御する画面である機器制御画面を構成し、出力する機器制御画面出力部と、
前記機器制御画面の出力に対応する入力を受け付ける機器制御入力受付部と、
前記機器制御入力受付部で受け付けた入力に対応して電子機器にアクセスする電子機器アクセス部を具備し、
前記サーバ装置は、
電子機器にアクセスするために必要な情報である電子機器アクセス情報と電子機器の名称を示す情報であるニックネームと電子機器識別子とユーザ識別情報を有する機器制御レコードを１以上有する機器制御画面情報を格納している機器制御画面情報格納部と、
前記ポータル装置を経由した情報処理装置からのアクセスに基づいて、前記機器制御画面情報格納部が格納している１以上の機器制御レコードを選択し、当該選択した１以上の器制御レコードを有する機器制御画面情報を前記ポータル装置に送信する機器制御画面情報送信部を具備し、
前記ポータル装置は、
前記２以上のサーバ装置にアクセスするための情報であるサーバ装置アクセス情報を格納しているサーバ装置アクセス情報格納部と、
前記情報処理装置から前記アクセス命令を受信するアクセス命令受信部と、
前記アクセス命令受信部が前記アクセス命令を受信した場合に、前記サーバ装置アクセス情報に基づいて前記２以上のサーバ装置にアクセスし、前記アクセス命令が有するユーザ識別情報に対応する１以上の機器制御レコードを有する機器制御画面情報を１以上のサーバ装置から受信し、当該機器制御画面情報を前記情報処理装置に送信する機器制御画面情報中継部を具備する情報処理システム。
【請求項３】
前記ユーザ識別情報は、電子メールアドレスを含む情報である請求項１または請求項２いずれか記載の情報処理システム。
【請求項４】
前記アクセス命令は、ユーザ識別情報に加えてパスワードも含み、
前記ポータル装置または前記サーバ装置で認証処理を行い、認証許可の結果である場合のみ、情報処理装置は電子機器にアクセス可能である請求項１から請求項３いずれか記載の情報処理システム。
【請求項５】
前記電子機器は、
前記サーバ装置にアクセスするための情報であるサーバ装置アクセス情報を格納している第二サーバ装置アクセス情報格納部と、
ネットワークに接続された場合に、電子機器情報を前記サーバ装置アクセス情報でアクセス可能なサーバ装置に送信する電子機器情報送信部をさらに具備し、
前記サーバ装置は、
電子機器アクセス情報を含む電子機器情報を受信する電子機器情報受信部と、
前記電子機器情報受信部で受信した電子機器情報を前記機器制御画面情報格納部に蓄積する電子機器情報蓄積部をさらに具備する請求項１から請求項４いずれか記載の情報処理システム。
【請求項６】
第二情報処理装置をさらに具備し、
前記第二情報処理装置は、
前記サーバ装置にアクセスするための情報であるサーバ装置アクセス情報を格納している第三サーバ装置アクセス情報格納部と、
ユーザ識別情報を有する登録情報の入力を受け付ける登録情報入力受付部と、
前記登録情報入力受付部が受け付けた登録情報を前記サーバ装置に送信する登録情報送信部を具備し、
前記サーバ装置は、
前記登録情報を受信する登録情報受信部と、
前記登録情報受信部が受信した登録情報を前記機器制御画面情報格納部に蓄積する登録情報蓄積部をさらに具備する請求項５記載の情報処理システム。
【請求項７】
請求項１から請求項６いずれか記載の情報処理システムを構成する情報処理装置。
【請求項８】
請求項１から請求項６いずれか記載の情報処理システムを構成するポータル装置。
【請求項９】
請求項１から請求項６いずれか記載の情報処理システムを構成するサーバ装置。
【請求項１０】
請求項１から請求項６いずれか記載の情報処理システムを構成する電子機器。
【発明の詳細な説明】
【０００１】
【発明の属する技術分野】
本発明は、電子機器を遠隔からアクセスし得る情報処理システム等に関する。
【０００２】
【従来の技術】
現在、ネットワーク技術が発達し、パソコンやセットトップボックスなどをはじめ、多くの電子機器がネットワークに接続されており、今後、この傾向は増大するものと考えられる。
【０００３】
かかる状況の中、電子機器と情報処理装置とサーバ装置を有する情報処理システムにおいて、例えば、家庭内のコンピュータやテレビなどの電子機器に、携帯電話等の外部の装置からアクセスしようとする場合、電子機器を識別する情報である電子機器識別子をユーザに直接入力させる方法がある。
【０００４】
【発明が解決しようとする課題】
しかし、上記従来技術によれば、記憶が困難な電子機器識別子を用いて電子機器をアクセスする必要があり、極めて不便である。
【０００５】
【課題を解決するための手段】
そこで、第一の発明は、各々ネットワークで接続され得る電子機器と情報処理装置とサーバ装置とポータル装置を有する情報処理システムであって、電子機器は、情報処理装置からのアクセスにより動作する動作部を具備し、情報処理装置は、ユーザを識別する情報であるユーザ識別情報を有するアクセス命令の入力を受け付けるアクセス命令受付部と、ポータル装置にアクセスするための情報であるポータル装置アクセス情報を格納しているポータル装置アクセス情報格納部と、アクセス命令受付部がアクセス命令の入力を受け付けた場合に、ポータル装置アクセス情報によりアクセス可能なポータル装置にアクセス命令を送信し、１以上の電子機器を制御する画面を構成するための情報である機器制御画面情報を、アクセス命令が有するユーザ識別情報に基づいてポータル装置から取得する機器制御画面情報取得部と、機器制御画面情報から機器を制御する画面である機器制御画面を構成し、出力する機器制御画面出力部と、機器制御画面の出力に対応する入力を受け付ける機器制御入力受付部と、機器制御入力受付部で受け付けた入力に対応して電子機器にアクセスする電子機器アクセス部を具備し、サーバ装置は、電子機器にアクセスするために必要な情報である電子機器アクセス情報と電子機器の名称を示す情報であるニックネームと電子機器識別子とユーザ識別情報を有する機器制御レコードを１以上有する機器制御画面情報を格納している機器制御画面情報格納部と、ポータル装置を経由した情報処理装置からのアクセスに基づいて、機器制御画面情報格納部が格納している１以上の機器制御レコードを選択し、当該選択した１以上の機器制御レコードを有する機器制御画面情報を前記ポータル装置に送信する機器制御画面情報送信部を具備し、ポータル装置は、サーバ装置にアクセスするための情報であるサーバ装置アクセス情報を格納しているサーバ装置アクセス情報格納部と、情報処理装置からアクセス命令を受信するアクセス命令受信部と、アクセス命令受信部がアクセス命令を受信した場合に、サーバ装置アクセス情報に基づいてサーバ装置にアクセスし、アクセス命令が有するユーザ識別情報に対応する１以上の機器制御レコードを有する機器制御画面情報をサーバ装置から受信し、当該機器制御画面情報を情報処理装置に送信する機器制御画面情報中継部を具備する情報処理システムであり、かかる情報処理システムにより、メールアドレス等の、通常ユーザが記憶しているユーザ識別情報により、遠隔地から電子機器を制御できる。
【０００６】
また、第二の発明は、各々ネットワークで接続され得る電子機器と情報処理装置と２以上のサーバ装置とポータル装置を有する情報処理システムであって、電子機器は、情報処理装置からのアクセスにより動作する動作部を具備し、情報処理装置は、ユーザを識別する情報であるユーザ識別情報を有するアクセス命令の入力を受け付けるアクセス命令受付部と、ポータル装置にアクセスするための情報であるポータル装置アクセス情報を格納しているポータル装置アクセス情報格納部と、アクセス命令受付部がアクセス命令の入力を受け付けた場合に、ポータル装置アクセス情報によりアクセス可能なポータル装置に前記アクセス命令を送信し、１以上の電子機器を制御する画面を構成するための情報である機器制御画面情報を、アクセス命令が有するユーザ識別情報に基づいてポータル装置から取得する機器制御画面情報取得部と、機器制御画面情報から機器を制御する画面である機器制御画面を構成し、出力する機器制御画面出力部と、機器制御画面の出力に対応する入力を受け付ける機器制御入力受付部と、機器制御入力受付部で受け付けた入力に対応して電子機器にアクセスする電子機器アクセス部を具備し、サーバ装置は、電子機器にアクセスするために必要な情報である電子機器アクセス情報と電子機器の名称を示す情報であるニックネームと電子機器識別子とユーザ識別情報を有する機器制御レコードを１以上有する機器制御画面情報を格納している機器制御画面情報格納部と、ポータル装置を経由した情報処理装置からのアクセスに基づいて、機器制御画面情報格納部が格納している１以上の機器制御レコードを選択し、当該選択した１以上の器制御レコードを有する機器制御画面情報を前記ポータル装置に送信する機器制御画面情報送信部を具備し、ポータル装置は、２以上のサーバ装置にアクセスするための情報であるサーバ装置アクセス情報を格納しているサーバ装置アクセス情報格納部と、情報処理装置からアクセス命令を受信するアクセス命令受信部と、アクセス命令受信部がアクセス命令を受信した場合に、サーバ装置アクセス情報に基づいて１以上のサーバ装置にアクセスし、アクセス命令が有するユーザ識別情報に対応する１以上の機器制御レコードを有する機器制御画面情報を２以上のサーバ装置から受信し、当該機器制御画面情報を情報処理装置に送信する機器制御画面情報中継部を具備する情報処理システムであり、かかる情報処理システムにより、メールアドレス等の、通常ユーザが記憶しているユーザ識別情報により、複数のサーバ装置に制御情報を管理されている複数の電子機器を、遠隔地から制御できる。
【０００７】
さらに、第三の発明は、アクセス命令は、ユーザ識別情報に加えてパスワードも含み、ポータル装置またはサーバ装置で認証処理を行い、認証許可の結果である場合のみ、情報処理装置は電子機器にアクセス可能とすることにより、電子機器のセキュリティーが担保できる。
【０００８】
【発明の実施の形態】
以下、情報処理システムや情報処理装置等の実施形態について図面を参照して説明する。なお、実施の形態において同じ符号を付した構成要素は同様の動作を行うので、再度の説明を省略する場合がある。
【０００９】
（実施の形態１）
図１は、本実施の形態における情報処理システムの概念図である。情報処理システムは、情報処理装置１１、ポータル装置１２、サーバ装置１３、ルーター１４、１以上の電子機器１５を有し、おのおのネットワークで接続されている。図１において１以上の電子機器を、それぞれ１５（１）、１５（２）・・・１５（ｎ）とする。
【００１０】
図２は、本実施の形態における情報処理システムのブロック図である。情報処理装置１１は、アクセス命令受付部１１０１、ポータル装置アクセス情報格納部１１０２、機器制御画面情報取得部１１０３、機器制御画面出力部１１０４、機器制御入力受付部１１０５、電子機器アクセス部１１０６を具備する。情報処理装置１１は、例えば、携帯電話や、いわゆるＰＤＡといわれる装置であり、通常、持ち運び可能な装置である。
【００１１】
ポータル装置１２は、サーバ装置アクセス情報格納部１２０１、アクセス命令受信部１２０２、機器制御画面情報中継部１２０３を具備する。
【００１２】
サーバ装置１３は、機器制御画面情報格納部１３０１、機器制御画面情報送信部１３０２を具備する。
【００１３】
ルーター１４は、１以上の電子機器１５をネットワーク（インターネット等）に接続する機能を果たし、具体的にはＩＰアドレスの変換機能やルーティング機能を有する。
【００１４】
電子機器１５は、電子機器識別子格納部１５０１、動作部１５０２を具備する。電子機器１５は、例えば、家庭内のネットワーク家電（テレビやＰＣやＳＴＢなど）である。
【００１５】
アクセス命令受付部１１０１は、ユーザを識別する情報であるユーザ識別情報を有するアクセス命令の入力を受け付ける。ユーザ識別情報とは、例えば、ユーザの電子メールアドレスである。ただし、ユーザ識別情報の内容やデータ構造は問わない。アクセス命令の入力手段は、テンキーやキーボードやマウスやメニュー画面によるもの等、何でも良い。アクセス命令受付部１１０１は、テンキーやキーボード等の入力手段のデバイスドライバーや、メニュー画面の制御ソフトウェア等で実現され得る。
【００１６】
ポータル装置アクセス情報格納部１１０２は、ポータル装置１２にアクセスするための情報であるポータル装置アクセス情報を格納している。ポータル装置アクセス情報は、例えば、ポータル装置１２のＩＰアドレスや電話番号等である。ポータル装置アクセス情報格納部１１０２は、不揮発性の記録媒体が好適であるが、揮発性の記録媒体でも実現可能である。
【００１７】
機器制御画面情報取得部１１０３は、アクセス命令受付部１１０１がアクセス命令の入力を受け付けた場合に、ポータル装置アクセス情報格納部１１０２に格納されているポータル装置アクセス情報を取出し、当該ポータル装置アクセス情報によりアクセス可能なポータル装置１２にアクセス命令を送信し、１以上の電子機器を制御する画面を構成するための情報である機器制御画面情報を、アクセス命令が有するユーザ識別情報に基づいてポータル装置１２から取得する。なお、機器制御画面情報は、サーバ装置１３に存在し、ポータル装置１２経由で送信される。機器制御画面情報は、例えば、Ｃ−ＨＴＭＬ（コンパクト・エイチ・ティー・エム・エル）で記載されている。なお、機器制御画面情報は、電子機器を制御する画面を構成するための情報であれば、その構造や、記述言語等は問わない。また、機器制御画面情報は、電子機器１５にアクセスするだけの情報であり、電子機器１５を制御するための情報は電子機器１５が保持していても良い。かかる場合、情報処理装置１１は、電子機器１５にアクセス後に、電子機器１５から自身を制御する機器制御画面情報を得る。機器制御画面情報取得部１１０３は、通常、ＭＰＵやメモリ等から実現され得る。機器制御画面情報取得部１１０３が機器制御画面情報を取得するための処理手順は、通常、ソフトウェアで実現され、当該ソフトウェアはＲＯＭ等の記録媒体に記録されている。但し、ハードウェア（専用回路）で実現しても良い。また、アクセス命令の構造は問わない。さらに、アクセス命令受付部１１０１が受け付けたアクセス命令と、機器制御画面情報取得部１１０３がポータル装置１２に送信するアクセス命令は、異なった構造でも良い。
【００１８】
機器制御画面出力部１１０４は、機器制御画面情報から機器を制御する画面である機器制御画面を構成し、出力する。機器制御画面出力部１１０４は、例えば、Ｃ−ＨＴＭＬで記述されたスクリプト（機器制御画面情報）を解釈実行するソフトウェアとディスプレイである。機器制御画面出力部１１０４は、通常、ＭＰＵやメモリ等から実現され得る。機器制御画面出力部１１０４が機器制御画面を出力するための処理手順は、通常、ソフトウェアで実現され、当該ソフトウェアはＲＯＭ等の記録媒体に記録されている。但し、ハードウェア（専用回路）で実現しても良い。なお、機器制御画面出力部１１０４は、ディスプレイを含むと考えても、含まないと考えても良い。
【００１９】
機器制御入力受付部１１０５は、機器制御画面の出力に対応する入力を受け付ける。この入力は、電子機器１５を動作させたり、制御したりするための入力を含む。かかる入力の入力手段は、テンキーやキーボードやマウスやメニュー画面によるもの等、何でも良い。機器制御入力受付部１１０５は、テンキーやキーボード等の入力手段のデバイスドライバーや、メニュー画面の制御ソフトウェア等で実現され得る。なお、機器制御入力受付部１１０５は、通常、アクセス命令受付部１１０１と同一の物理的手段で実現され得る。
【００２０】
電子機器アクセス部１１０６は、機器制御入力受付部１１０５で受け付けた入力に対応して電子機器にアクセスする。電子機器アクセス部１１０６は、無線または有線の通信手段で実現され得る。ただし、電子機器アクセス部１１０６は、通常、機器制御入力受付部１１０５で受け付けた入力から電子機器に対して送信する情報や命令等を構成するソフトウェアも含む。
【００２１】
サーバ装置アクセス情報格納部１２０１は、サーバ装置１３にアクセスするための情報であるサーバ装置アクセス情報を格納している。サーバ装置アクセス情報は、例えば、サーバ装置１３のＩＰアドレスやポート番号やＭＡＣアドレス等である。サーバ装置アクセス情報格納部１２０１は、不揮発性の記録媒体が好適であるが、揮発性の記録媒体でも実現可能である。
【００２２】
アクセス命令受信部１２０２は、情報処理装置１１からアクセス命令を受信する。アクセス命令受信部１２０２は、無線の通信手段が好適であるが、放送を受信する手段や有線の通信手段でも実現可能である。
【００２３】
機器制御画面情報中継部１２０３は、アクセス命令受信部１２０２がアクセス命令を受信した場合に、サーバ装置アクセス情報格納部１２０１に格納されているサーバ装置アクセス情報に基づいてサーバ装置１３にアクセスし、アクセス命令が有するユーザ識別情報に対応する１以上の機器制御レコードを有する機器制御画面情報をサーバ装置１３から受信し、当該機器制御画面情報を情報処理装置１１に送信する。機器制御画面情報中継部１２０３は、無線または有線の通信手段等で実現され得る。
【００２４】
機器制御画面情報格納部１３０１は、電子機器にアクセスするために必要な情報である電子機器アクセス情報と電子機器の名称を示す情報であるニックネームと電子機器識別子とユーザ識別情報を有する機器制御レコードを１以上有する機器制御画面情報を格納している。機器制御画面情報格納部１３０１は、不揮発性の記録媒体が好適であるが、揮発性の記録媒体でも実現可能である。
【００２５】
機器制御画面情報送信部１３０２は、ポータル装置１２を経由した情報処理装置１１からのアクセスに基づいて、機器制御画面情報格納部１３０１が格納している１以上の機器制御レコードを選択し、当該選択した１以上の機器制御レコードを有する機器制御画面情報をポータル装置１２に送信する。機器制御画面情報送信部１３０２は、無線または有線の通信手段等で実現され得る。
【００２６】
電子機器識別子格納部１５０１は、電子機器を識別する電子機器識別子を格納している。電子機器識別子は、電子機器１５にアクセスするために必要な情報である。電子機器識別子は、例えば、電子機器１５のＩＰアドレスである。電子機器識別子格納部１５０１は、不揮発性の記録媒体が好適であるが、揮発性の記録媒体でも実現可能である。
【００２７】
動作部１５０２は、情報処理装置１１からのアクセスにより動作する。動作の内容は、電子機器１５によって異なる。電子機器１５がビデオの場合は、動作部１５０２が行う動作は、例えば、録画予約の動作である。電子機器１５がエアコンの場合は、動作部１５０２が行う動作は、例えば、温度設定、および電源ＯＮ等である。動作部１５０２は、ハードウェアまたは／およびソフトウェアで実現される。
【００２８】
以下、本情報処理システムの動作について説明する。まず、情報処理装置１１の動作について図３のフローチャートを用いて説明する。
【００２９】
（ステップＳ３０１）アクセス命令受付部１１０１は、ユーザ識別情報を有するアクセス命令の入力を受け付けたか否かを判断する。アクセス命令の入力を受け付ければステップＳ３０２に行き、アクセス命令の入力を受け付けなければステップＳ３０１に戻る。
【００３０】
（ステップＳ３０２）機器制御画面情報取得部１１０３は、ポータル装置アクセス情報格納部１１０２に格納されているポータル装置アクセス情報を取得する。
【００３１】
（ステップＳ３０３）機器制御画面情報取得部１１０３は、ステップＳ３０２で取得したポータル装置アクセス情報で識別されるポータル装置１２に、ステップＳ３０１で受け付けたアクセス命令を送信する。なお、ステップＳ３０３で送信するアクセス命令を示す情報は、ステップＳ３０１で受け付けたアクセス命令の情報と完全に一致するとは限らない。
【００３２】
（ステップＳ３０４）機器制御画面情報取得部１１０３は、機器制御画面情報を受信したか否かを判断する。機器制御画面情報を受信すればステップＳ３０５に行き、機器制御画面情報を受信しなければステップＳ３０４に戻る。
【００３３】
（ステップＳ３０５）機器制御画面出力部１１０４は、ステップＳ３０４で受信した機器制御画面情報から機器制御画面を構成する。
【００３４】
（ステップＳ３０６）機器制御画面出力部１１０４は、ステップＳ３０５で構成した機器制御画面を出力する。
【００３５】
（ステップＳ３０７）機器制御入力受付部１１０５は、機器制御画面の出力に対応する入力を受け付けたか否かを判断する。入力を受け付ければステップＳ３０８に行き、入力を受け付けなければステップＳ３０７に戻る。
【００３６】
（ステップＳ３０８）電子機器アクセス部１１０６は、ステップＳ３０７で受け付けた入力に基づいて、電子機器にアクセスするための命令を構成する。
【００３７】
（ステップＳ３０９）電子機器アクセス部１１０６は、電子機器１５にアクセスする。なお、アクセスするとは、ステップＳ３０８で構成した命令を電子機器１５に送信することである。
【００３８】
なお、図３のフローチャートのステップＳ３０８の処理は省略される場合もあり得る。かかる場合、情報処理装置１１は、電子機器１５にアクセスした後、種々の命令を送信する。
【００３９】
次に、ポータル装置１２の動作について図４のフローチャートを用いて説明する。
【００４０】
（ステップＳ４０１）アクセス命令受信部１２０２は、情報処理装置１１からアクセス命令を受信したか否かを判断する。アクセス命令を受信すればステップＳ４０２に行き、アクセス命令を受信しなければステップＳ４０１に戻る。
【００４１】
（ステップＳ４０２）機器制御画面情報中継部１２０３は、サーバ装置アクセス情報格納部１２０１に格納されているサーバ装置アクセス情報を取得する。
【００４２】
（ステップＳ４０３）機器制御画面情報中継部１２０３は、ステップＳ４０２で取得したサーバ装置アクセス情報によりアクセスできるサーバ装置１３にアクセスし、機器制御画面情報の送信を指示する。なお、かかる指示には、アクセス命令が有するユーザ識別情報が含まれる。
【００４３】
（ステップＳ４０４）機器制御画面情報中継部１２０３は、ステップＳ４０３で送信した指示に対応して、機器制御画面情報をサーバ装置１３から受信したか否かを判断する。機器制御画面情報を受信すればステップＳ４０５に行き、機器制御画面情報を受信しなければステップＳ４０４に戻る。
【００４４】
（ステップＳ４０５）機器制御画面情報中継部１２０３は、ステップＳ４０４で受信した機器制御画面情報を情報処理装置１１に送信する。
【００４５】
次に、サーバ装置１３の動作について図５のフローチャートを用いて説明する。
【００４６】
（ステップＳ５０１）機器制御画面情報送信部１３０２は、ポータル装置１２から機器制御画面情報の送信指示を受信したか否かを判断する。送信指示を受信すればステップＳ５０２に行き、送信指示を受信しなければステップＳ５０１に戻る。
【００４７】
（ステップＳ５０２）機器制御画面情報送信部１３０２は、送信指示に含まれるユーザ識別情報を取得し、当該ユーザ識別情報でアクセス可能な電子機器を制御する画面の情報である機器制御画面情報を機器制御画面情報格納部１３０１から取得する。
【００４８】
（ステップＳ５０３）機器制御画面情報送信部１３０２は、ステップＳ５０２で取得した機器制御画面情報をポータル装置１２に送信する。
【００４９】
次に、電子機器１５の動作について説明する。電子機器１５は、情報処理装置１１からアクセスされ、動作部１５０２は情報処理装置１１からのアクセスにより動作する。なお、電子機器１５は、実施の形態２等で述べるように、電子機器１５を制御するための画面を構成する情報を保持しており、情報処理装置１１からのアクセスに対応して、当該電子機器１５を制御するための画面を構成する情報を情報処理装置１１に送信する場合もある。かかる場合、当該電子機器１５は、画面を構成する情報に基づいて構成された画面を用いて入力された制御情報（この情報は、情報処理装置１１から送信される）に基づいて、制御される。
【００５０】
以下、本実施の形態における情報処理システムの具体的な動作について説明する。情報処理システムの概念図は図１である。
【００５１】
今、サーバ装置１３は、図６に示す機器制御画面情報管理表を保持している。機器制御画面情報管理表は、「ＩＤ」「電子機器アクセス情報」「ニックネーム」「電子機器識別子」「ユーザ識別情報」「機器制御画面スクリプト」を有する機器制御レコードを１以上有する。「ＩＤ」は、機器制御レコードを識別する情報であり表管理上必要である。「電子機器アクセス情報」は、電子機器にアクセスするために必要な情報であり、ここではルーター１４側のグローバルＩＰアドレスである。「ニックネーム」は、電子機器の名称を示す情報である。「電子機器識別子」は、電子機器を識別する情報であり、ここではポート番号である。なお、「電子機器アクセス情報」と「電子機器識別子」で特定の電子機器にアクセスできる。
「ユーザ識別情報」は、ユーザの電子メールアドレスを示す情報である。「機器制御画面スクリプト」は、機器制御画面を構成するスクリプトを格納しているファイルの名称（ファイル名）である。ファイル名で識別されるスクリプトは、別途、サーバ装置１３に格納されている。
【００５２】
図７は、ポータル装置１２が保持しているユーザ認証管理表である。ユーザ認証管理表は、「ＩＤ」「ユーザ識別情報」「パスワード」を有する。ポータル装置１２は、「ユーザ識別情報」「パスワード」を正しく送信してきた情報処理装置１１に対して、機器制御画面情報を送信する。
【００５３】
今、情報処理装置１１のユーザは、図８に示すメニュー画面に自身のメールアドレスとパスワードを入力し、「決定」ボタンを押下する、とする。情報処理装置１１のユーザのメールアドレスは「ａａａ＠ｘｘｘ．ｃｏｍ」であり、パスワードは「３８０１２７」である。
【００５４】
次に、情報処理装置１１は、図９のアクセス命令を構成する。図９のアクセス命令は、「命令の種類」「ユーザ識別情報」「パスワード」「情報処理装置識別子」を有する。「命令の種類」は、命令の内容を示す。「命令の種類」が「１」である場合、かかる命令は、機器制御画面情報を送信する指示の命令である。「ユーザ識別情報」と「パスワード」は、図８のメニュー画面から入力された情報である。「情報処理装置識別子」は、情報処理装置１１の電話番号であり、あらかじめ情報処理装置１１が保持している。
【００５５】
次に、情報処理装置１１は、図９のアクセス命令をポータル装置１２に送信する。ポータル装置１２は、図９のアクセス命令を受信する。ポータル装置１２は、図９のアクセス命令のユーザ識別情報とパスワードで認証を行う。認証には、図７のユーザ認証管理表を利用する。図９のアクセス命令と図７のユーザ認証管理表によれば、アクセス命令は正当である、と判断される。次に、ポータル装置１２は、アクセス命令が含むユーザ識別情報「ａａａ＠ｘｘｘ．ｃｏｍ」を有するアクセス命令をサーバ装置１３に送信する。
【００５６】
次に、サーバ装置１３は、「ａａａ＠ｘｘｘ．ｃｏｍ」を有するアクセス命令を受信し、「ａａａ＠ｘｘｘ．ｃｏｍ」を含む機器制御レコードを図６の機器制御画面情報管理表から取得する。そして、サーバ装置１３は、取得した「ＩＤ」＝「１」「２」「３」の機器制御レコード（機器制御画面スクリプトのファイルを含む）をポータル装置１２に送信する。次に、ポータル装置１２は、「ＩＤ」＝「１」「２」「３」の機器制御レコードを受信し、情報処理装置１１に転送する。なお、サーバ装置１３およびポータル装置１２は、「ＩＤ」＝「１」「２」「３」の機器制御レコードのすべての属性値を送信する必要はない。例えば、ユーザ識別情報は、送信される必要はない。
【００５７】
次に、情報処理装置１１は、「ＩＤ」＝「１」「２」「３」の機器制御レコードを受信し、機器制御レコードの「ニックネーム」を抽出し、図１０の画面を構成し、出力する。次に、ユーザは、例えば、図１０の画面において、「居間ビデオ」の項目を選択する。次に、情報処理装置１１は、「居間ビデオ」のニックネームと対になる機器制御画面スクリプト「ｆｉｌｅＡ２」を実行し、図１１の画面を構成し、出力する。図１１の画面は、録画予約をするための画面である。
【００５８】
次に、ユーザは、図１１に示すように、フィールドに情報を入力し、「送信」ボタンを押下する。すると、情報処理装置１１は、電子機器１５に録画予約をするための命令を送信する。本命令中には、図１１で入力した録画予約日、録画予約時間、チャンネルの情報を含む。なお、電子機器１５（居間ビデオ）のＩＰアドレス、ポート番号は、「ＩＤ」＝「２」の機器制御レコードが有する。
【００５９】
次に、電子機器１５（居間ビデオ）は、命令（録画情報を含む）を受信し、録画予約のセットをする。以上により、遠隔から電子機器を簡単に操作できる。
【００６０】
以上、本実施の形態によれば、電子メールアドレスなどの簡易なユーザ識別情報を利用し、電子機器を遠隔から安全に操作できる。
【００６１】
なお、本実施の形態によれば、ポータル装置がパスワードとユーザ識別情報で認証を行ったが、サーバ装置が認証を行っても良いし、認証処理は行わなくても良い。サーバ装置が認証を行う場合は、サーバ装置がユーザ識別情報とパスワードの対の情報を管理し、上述したポータル装置の認証処理と同様の処理を行う。また、認証処理が行われない場合は、ユーザ識別情報に対応する機器制御画面情報が自動的に情報処理装置に送信される。かかる場合、通常、情報処理装置からパスワードは入力されない。
【００６２】
また、本実施の形態によれば、電子機器はビデオであり、動作部は録画予約の動作を行ったが、他の電子機器に対して、または／および他の動作を情報処理装置から遠隔で行っても良い。
【００６３】
また、本実施の形態によれば、電子機器はルーターを介してアクセスされたが、電子機器が直接アクセスされても良い。かかる場合、電子機器は、例えば、グローバルＩＰアドレスを保持し、かかるグローバルＩＰアドレスにより外部から直接アクセスされ得る。
【００６４】
また、本実施の形態によれば、電子機器を制御するための画面を構成するスクリプトは、サーバ装置が保持していたが、情報処理装置は、電子機器を制御するための画面を構成するスクリプトを、電子機器にアクセスして取得しても良い。かかる場合、電子機器を制御するための画面を構成するスクリプトは、サーバ装置で管理する必要はない。
【００６５】
また、本実施の形態において、ＩＰアドレスは、ＩＰＶｅｒ４の規約に基づくものの例を挙げたが、ＩＰＶｅｒ６の規約に基づくもの等でも良い。かかることは、他の実施の形態においても同様である。
【００６６】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、ユーザを識別する情報であるユーザ識別情報を有するアクセス命令の入力を受け付けるアクセス命令受付ステップと、アクセス命令受付ステップでアクセス命令の入力を受け付けた場合に、格納しているポータル装置アクセス情報によりアクセス可能なポータル装置にアクセス命令を送信し、１以上の電子機器を制御する画面を構成するための情報である機器制御画面情報を、アクセス命令が有するユーザ識別情報に基づいてポータル装置から取得する機器制御画面情報取得ステップと、機器制御画面情報から機器を制御する画面である機器制御画面を構成し、出力する機器制御画面出力ステップと、機器制御画面の出力に対応する入力を受け付ける機器制御入力受付ステップと、機器制御入力受付ステップで受け付けた入力に対応して電子機器にアクセスする電子機器アクセスステップを実行させるためのプログラムである。
【００６７】
（実施の形態２）
図１２は、本実施の形態における情報処理システムのブロック図である。本情報処理システムは、情報処理装置１１、ポータル装置１２、サーバ装置１２３、ルーター１４、電子機器１２５、第二情報処理装置１２６を有する。本実施の形態において、サーバ装置１２３に、電子機器の各種情報を登録する動作について説明する。なお、情報処理装置１１から電子機器１２５にアクセスし、電子機器１２５を操作する動作については実施の形態１で説明済みであるので、ここでは詳細には説明しない。
【００６８】
サーバ装置１２３は、機器制御画面情報格納部１３０１、機器制御画面情報送信部１３０２、電子機器情報受信部１２３０１、電子機器情報蓄積部１２３０２、入力画面情報送信部１２３０３、登録情報受信部１２３０４、登録情報蓄積部１２３０５を具備する。
【００６９】
電子機器１２５は、電子機器識別子格納部１５０１、動作部１５０２、第二サーバ装置アクセス情報格納部１２５０１、電子機器情報送信部１２５０２を具備する。
【００７０】
第二情報処理装置１２６は、第三サーバ装置アクセス情報格納部１２６０１、登録情報入力画面要求受付部１２６０２、登録情報入力画面情報受信部１２６０３、登録情報入力画面出力部１２６０４、登録情報入力受付部１２６０５、登録情報送信部１２６０６を具備する。
【００７１】
電子機器情報受信部１２３０１は、電子機器アクセス情報を含む電子機器情報を受信する。電子機器情報受信部１２３０１は、無線または有線の通信手段で実現され得るが、放送を受信する手段で実現しても良い。
【００７２】
電子機器情報蓄積部１２３０２は、電子機器情報受信部１２３０１が受信した電子機器情報を機器制御画面情報格納部１３０１に蓄積する。電子機器情報蓄積部１２３０２は、通常、ＭＰＵやメモリ等から実現され得る。電子機器情報蓄積部１２３０２が情報を蓄積するための処理手順は、通常、ソフトウェアで実現され、当該ソフトウェアはＲＯＭ等の記録媒体に記録されている。但し、ハードウェア（専用回路）で実現しても良い。
【００７３】
入力画面情報送信部１２３０３は、第二情報処理装置１２６からの要求に基づいて、登録情報を入力するための画面を構成する情報を第二情報処理装置１２６に送信する。登録情報を入力するための画面を構成する情報は、機器制御画面情報格納部１３０１に格納されている。入力画面情報送信部１２３０３は、通常、無線または有線の通信手段で実現されるが、放送手段で実現しても良い。
【００７４】
登録情報受信部１２３０４は、第二情報処理装置１２６から登録情報を受信する。登録情報は、例えば、ユーザ識別情報と電子機器のニックネームである。ただし、登録情報は、ユーザ識別情報だけでも良い。なお、登録情報の構造は問わない。登録情報受信部１２３０４は、通常、無線または有線の通信手段で実現されるが、放送を受信する手段で実現しても良い。
【００７５】
登録情報蓄積部１２３０５は、登録情報受信部１２３０４が受信した登録情報を機器制御画面情報格納部１３０１の適切な箇所に蓄積する。登録情報蓄積部１２３０５が適切な箇所を選択するアルゴリズムの例は後述する。登録情報蓄積部１２３０５は、通常、ＭＰＵやメモリ等から実現され得る。登録情報蓄積部１２３０５が情報を蓄積するための処理手順は、通常、ソフトウェアで実現され、当該ソフトウェアはＲＯＭ等の記録媒体に記録されている。但し、ハードウェア（専用回路）で実現しても良い。
【００７６】
第二サーバ装置アクセス情報格納部１２５０１は、サーバ装置１２３にアクセスするための情報であるサーバ装置アクセス情報を格納している。第二サーバ装置アクセス情報格納部１２５０１は、不揮発性の記録媒体が好適であるが、揮発性の記録媒体でも実現可能である。
【００７７】
電子機器情報送信部１２５０２は、電源がＯＮであり、かつネットワークに接続された場合に、電子機器識別子を有する電子機器情報を、第二サーバ装置アクセス情報格納部１２５０１のサーバ装置アクセス情報でアクセス可能なサーバ装置１２３に送信する。なお、電子機器識別子は、電子機器識別子格納部１５０１に格納されている。また、通常、電子機器情報は、ルーター１４を経由することにより、電子機器アクセス情報（グローバルＩＰアドレス）と電子機器識別子を有することとなる。電子機器情報送信部１２５０２は、無線または有線の通信手段で実現され得るが、放送手段で実現しても良い。
【００７８】
第三サーバ装置アクセス情報格納部１２６０１は、サーバ装置１２３にアクセスするための情報であるサーバ装置アクセス情報を格納している。第三サーバ装置アクセス情報格納部１２６０１は、不揮発性の記録媒体が好適であるが、揮発性の記録媒体でも実現可能である。
【００７９】
登録情報入力画面要求受付部１２６０２は、サーバ装置１２３に登録情報を入力するための画面を構成する情報を要求する。登録情報入力画面要求受付部１２６０２が受け付ける要求の入力手段は、テンキーやキーボードやマウスやメニュー画面によるもの等、何でも良い。登録情報入力画面要求受付部１２６０２は、テンキーやキーボード等の入力手段のデバイスドライバーや、メニュー画面の制御ソフトウェア等で実現され得る。
【００８０】
登録情報入力画面情報受信部１２６０３は、登録情報を入力するための画面の情報である登録情報入力画面情報をサーバ装置１２３から受信する。登録情報入力画面情報受信部１２６０３は、無線または有線の通信手段で実現され得るが、放送を受信する手段でも実現可能である。
【００８１】
登録情報入力画面出力部１２６０４は、登録情報入力画面情報受信部１２６０３が受信した登録情報入力画面情報に基づいて登録情報入力画面を構成し、出力する。ここで言う出力は、通常、ディスプレイへの表示である。
【００８２】
登録情報入力受付部１２６０５は、登録情報入力画面出力部１２６０４の出力に対応して、ユーザから登録情報の入力を受け付ける。この登録情報の入力手段は、キーボードやマウスやメニュー画面によるもの等、何でも良い。登録情報入力受付部１２６０５は、テンキーやキーボード等の入力手段のデバイスドライバーや、メニュー画面の制御ソフトウェア等で実現され得る。
【００８３】
登録情報送信部１２６０６は、登録情報入力受付部１２６０５で受け付けた登録情報をサーバ装置１２３に送信する。登録情報送信部１２６０６は、無線または有線の通信手段で実現され得るが、放送手段でも実現可能である。
【００８４】
以下、本情報処理システムの動作について説明する。まず、電子機器１２５の電子機器情報が送信される動作を図１３のフローチャートを用いて説明する。なお、電子機器１２５の電源はＯＮの状態である、とする。
【００８５】
（ステップＳ１３０１）電子機器情報送信部１２５０２は、電子機器１２５が最初にネットワークに接続されたか否かを判断する。最初にネットワークに接続されたか否かは、例えば、あるフラグをみて当該フラグが「０」であれば、未だネットワークに接続されたことがないと判断する。なお、かかる場合、本フローチャートの処理をすべて終了した段階で、当該フラグは「１」になっている。
【００８６】
（ステップＳ１３０２）電子機器情報送信部１２５０２は、電子機器識別子格納部１５０１から電子機器識別子を取得する。
【００８７】
（ステップＳ１３０３）電子機器情報送信部１２５０２は、第二サーバ装置アクセス情報格納部１２５０１からサーバ装置アクセス情報を取得する。
【００８８】
（ステップＳ１３０４）電子機器情報送信部１２５０２は、ステップＳ１３０３で取得したサーバ装置アクセス情報で識別されるサーバ装置１２３に、ステップＳ１３０２で取得した電子機器識別子を有する電子機器情報送信する。なお、電子機器識別子を有する電子機器情報は、まず、ルーター１４に送信され、電子機器１２５にアクセスするための情報を構成し、当該電子機器１２５にアクセスするための情報（電子機器アクセス情報）がサーバ装置１２３に送信される。
【００８９】
なお、図３のフローチャートにおいて、電子機器識別子を送信することが必須でない。例えば、情報処理装置１１が空のパケットをルーター１４に送信し、ルーター１４が情報処理装置１１にアクセスするための電子機器アクセス情報を構成し、サーバ装置１２３に送信しても良い。電子機器アクセス情報は、例えば、ルーター１４のグローバルＩＰアドレスとポート番号から構成される。
【００９０】
次に、サーバ装置１２３の動作を図１４のフローチャートを用いて説明する。
【００９１】
（ステップＳ１４０１）電子機器情報受信部１２３０１は、電子機器１２５から電子機器情報を受信したか否かを判断する。電子機器情報を受信すればステップＳ１４０２に行き、電子機器情報を受信しなければステップＳ１４０３に飛ぶ。
【００９２】
（ステップＳ１４０２）電子機器情報蓄積部１２３０２は、ステップＳ１４０１で受信した電子機器情報を機器制御画面情報格納部１３０１に蓄積する。ステップＳ１４０１に戻る。
【００９３】
（ステップＳ１４０３）入力画面情報送信部１２３０３は、登録情報の入力要求を第二情報処理装置１２６から受け付けたか否かを判断する。登録情報の入力要求を受け付ければステップＳ１４０４に行き、登録情報の入力要求を受け付けなければステップＳ１４０６に飛ぶ。
【００９４】
（ステップＳ１４０４）入力画面情報送信部１２３０３は、登録情報の入力画面を構成する登録情報入力画面情報を機器制御画面情報格納部１３０１から検索する。なお、登録情報入力画面情報は、第二情報処理装置１２６から送信される電子機器アクセス情報をキーに検索される。
【００９５】
（ステップＳ１４０５）入力画面情報送信部１２３０３は、ステップＳ１４０４で検索した登録情報入力画面情報を第二情報処理装置１２６に送信する。ステップＳ１４０１に戻る。
【００９６】
（ステップＳ１４０６）登録情報受信部１２３０４は、第二情報処理装置１２６から登録情報を受信したか否かを判断する。登録情報を受信すればステップＳ１４０７に行き、登録情報を受信しなければステップＳ１４０８に飛ぶ。
【００９７】
（ステップＳ１４０７）登録情報蓄積部１２３０５は、ステップＳ１４０６で受信した登録情報を機器制御画面情報格納部１３０１に蓄積する。ステップＳ１４０１に戻る。
【００９８】
（ステップＳ１４０８）機器制御画面情報送信部１３０２は、機器制御画面情報の送信指示をポータル装置１２から受け付けたか否かを判断する。機器制御画面情報の送信指示を受け付ければステップＳ１４０９に行き、機器制御画面情報の送信指示を受け付けなければステップＳ１４０１に戻る。なお、機器制御画面情報の送信指示には、ユーザ識別情報とパスワードが含まれる、とする。
【００９９】
（ステップＳ１４０９）機器制御画面情報送信部１３０２は、ポータル装置１２から送信されてきたユーザ識別情報とパスワードに基づいて認証を行う。つまり、ステップＳ１４０８で受信したユーザ識別情報とパスワードが、機器制御画面情報格納部１３０１に管理されているユーザ識別情報とパスワードに合致するか否かを判断する。認証の結果、ＯＫであればステップＳ１４１０に行き、ＯＫでなければステップＳ１４０１に戻る。
【０１００】
（ステップＳ１４１０）機器制御画面情報送信部１３０２は、機器制御画面情報格納部１３０１からユーザ識別情報とパスワードに対応する機器制御画面情報を検索する。
【０１０１】
（ステップＳ１４１１）機器制御画面情報送信部１３０２は、ステップＳ１４１０で検索した機器制御画面情報を送信する。ステップＳ１４０１に戻る。
【０１０２】
なお、図１４のフローチャートにおいて、電源オフや、終了を指示する割り込みにより処理は終了する。
【０１０３】
次に、第二情報処理装置１２６の動作を図１５のフローチャートを用いて説明する。
【０１０４】
（ステップＳ１５０１）登録情報入力画面要求受付部１２６０２は、登録情報の入力画面を出力する要求を受け付けたか否かを判断する。登録情報の入力画面を出力する要求を受け付ければステップＳ１５０２に行き、登録情報の入力画面を出力する要求を受け付けなければステップＳ１５０５に飛ぶ。
【０１０５】
（ステップＳ１５０２）登録情報入力画面情報受信部１２６０３は、登録情報入力画面情報の送信を要求するための要求情報を構成する。
【０１０６】
（ステップＳ１５０３）登録情報入力画面情報受信部１２６０３は、第三サーバ装置アクセス情報格納部１２６０１から第三サーバ装置アクセス情報を取得する。
【０１０７】
（ステップＳ１５０４）登録情報入力画面情報受信部１２６０３は、ステップＳ１５０３で取得した第三サーバ装置アクセス情報でアクセスできるサーバ装置１２３に、ステップＳ１５０２で構成した要求情報を送信する。ステップＳ１５０１に戻る。
【０１０８】
（ステップＳ１５０５）登録情報入力画面情報受信部１２６０３は、サーバ装置１２３から登録情報入力画面情報を受信したか否かを判断する。登録情報入力画面情報を受信すればステップＳ１５０６に行き、登録情報入力画面情報を受信しなければステップＳ１５０５に戻る。
【０１０９】
（ステップＳ１５０６）登録情報入力画面情報受信部１２６０３は、ステップＳ１５０５で受信した登録情報入力画面情報に基づいて登録情報入力画面を構成する。
【０１１０】
（ステップＳ１５０７）登録情報入力画面出力部１２６０４は、ステップＳ１５０６で構成した登録情報入力画面を出力する。
【０１１１】
（ステップＳ１５０８）登録情報入力受付部１２６０５は、入力を受け付けたか否かを判断する。
【０１１２】
（ステップＳ１５０９）登録情報送信部１２６０６は、ステップＳ１５０８で受け付けた入力は、登録情報の送信指示の入力であるか否かを判断する。登録情報の送信指示の入力であればステップＳ１５１０に行き、登録情報の送信指示の入力でなければステップＳ１５０８に戻る。なお、登録情報の送信指示の入力でなければ、当該入力はメモリに保持されている。
【０１１３】
（ステップＳ１５１０）登録情報送信部１２６０６は、受け付けた入力（情報）から登録情報を構成する。
【０１１４】
（ステップＳ１５１１）登録情報送信部１２６０６は、ステップＳ１５１０で構成した登録情報をサーバ装置１２３に送信する。なお、サーバ装置１２３にアクセスするためのサーバ装置アクセス情報は、第三サーバ装置アクセス情報格納部１２６０１に格納されている。
【０１１５】
以下、本実施の形態における情報処理システムの具体的な動作について説明する。本情報処理システムの概念図を図１６に示す。本情報処理システムは、情報処理装置１１、ポータル装置１２、サーバ装置１２３、ルーター１４、電子機器１２５（１２５（１）、１２５（２）、・・・１２５（ｎ））、第二情報処理装置１２６を有する。
【０１１６】
今、サーバ装置１２３は、図１７に示す機器制御画面情報管理表を保持している。本機器制御画面情報管理表は、「ＩＤ」「電子機器アクセス情報」「ニックネーム」「ユーザ識別子」「パスワード」を有する機器制御レコードを１以上有する。「電子機器アクセス情報」は、ここでは、電子機器の「グローバルＩＰアドレス」と「ポート番号」である。各電子機器は、「グローバルＩＰアドレス」と「ポート番号」によりアクセスされ得る。
【０１１７】
今、Ａ子さんが、セットトップボックスを購入し、初めてネットワークに接続した、とする。かかるセットトップボックス（電子機器１２５）からはルーター１４を経由してグローバルＩＰアドレスとポート番号を有する電子機器アクセス情報がサーバ装置１２３に送信される。セットトップボックスは、予めサーバ装置１２３にアクセスするためのサーバ装置１２３のＩＰアドレス等を保持している、またはユーザの指示によりサーバ装置１２３のＩＰアドレス等が分かる構成になっている。今、セットトップボックス（電子機器１２５）からグローバルＩＰアドレス「２５０．１２８．２．１」、ポート番号「２」を有する電子機器情報がサーバ装置１２３に送信された、とする。
【０１１８】
次に、サーバ装置１２３は、グローバルＩＰアドレス「２５０．１２８．２．１」、ポート番号「２」を有する電子機器情報を受信し、機器制御画面情報管理表に追加する。かかる状態の機器制御画面情報管理表を図１８に示す。図１８によれば、「ニックネーム」「ユーザ識別子」「パスワード」は空である。
【０１１９】
次に、ユーザ（Ａ子さん）は、第二情報処理装置１２６を用いて、登録情報の入力画面をサーバ装置１２３に要求する。具体的には、第二情報処理装置１２６からルーター１４を経由して、グローバルＩＰアドレス「２５０．１２８．２．１」を含む要求がサーバ装置１２３に送信される。
【０１２０】
次に、サーバ装置１２３は、グローバルＩＰアドレス「２５０．１２８．２．１」を含む要求を受信する。次に、サーバ装置１２３は、グローバルＩＰアドレス「２５０．１２８．２．１」をキーとして機器制御レコードを検索する。図１８によれば、「ＩＤ」＝「４」、「５」のレコードが検索される。そして、サーバ装置１２３は、例えば、「ＩＤ」＝「４」、「５」のレコードを有する登録情報入力画面情報を送信する。
【０１２１】
次に、第二情報処理装置１２６は、図１８の「ＩＤ」＝「４」、「５」のレコードを有する登録情報入力画面情報を受信し、登録情報入力画面を構成し、出力する。かかる登録情報入力画面の出力例が図１９である。この段階では、「ポート番号」＝「２」の「ニックネーム」「ユーザ識別子」「パスワード」は空である。
【０１２２】
次に、ユーザのＡ子さんは、「ポート番号」＝「２」の「ニックネーム」「ユーザ識別子」「パスワード」を入力する。ここで、具体的には、「ニックネーム」＝「衛星テレビ１」、「ユーザ識別子」＝「ａｋｏ＠ｙｙｙ．ｃｏ．ｊｐ」、「パスワード」＝「１２３４５６」を入力し、画面右下の「送信」ボタンを押下する、とする。なお、Ａ子さんは、ここで、既に登録している「Ａ子ビデオ」のニックネームや、ユーザ識別情報や、パスワードを修正しても良い。
【０１２３】
次に、第二情報処理装置１２６は、図２０に示すような登録情報を構成する。そして、ルーター１４経由で、サーバ装置１２３に図２０の登録情報を送信する。その過程で、グローバルＩＰアドレス「２５０．１２８．２．１」が付加されてサーバ装置１２３に到着する。
【０１２４】
次に、サーバ装置１２３は、グローバルＩＰアドレス「２５０．１２８．２．１」を含む登録情報を受信する。そして、サーバ装置１２３は、グローバルＩＰアドレスとポート番号をキーとして、「ニックネーム」「ユーザ識別子」「パスワード」を蓄積するレコードを選択し、「ニックネーム」「ユーザ識別子」「パスワード」を蓄積する。かかる場合の機器制御画面情報管理表を図２１に示す。
【０１２５】
以上の状況で、Ａ子さんが、自身の携帯端末（情報処理装置１１）でポータル装置１２をアクセスする、とする。
【０１２６】
すると、図８に示すような「メールアドレス」「パスワード」を入力する画面がダウンロードされる。そして、Ａ子さんは、「メールアドレス」＝「ａｋｏ＠ｙｙｙ．ｃｏ．ｊｐ」、「パスワード」＝「１２３４５６」を入力して、ポータル装置１２に送信する。
【０１２７】
次に、ポータル装置１２は、「メールアドレス」＝「ａｋｏ＠ｙｙｙ．ｃｏ．ｊｐ」、「パスワード」＝「１２３４５６」をサーバ装置１２３に転送する。
【０１２８】
次に、サーバ装置１２３は、「メールアドレス」＝「ａｋｏ＠ｙｙｙ．ｃｏ．ｊｐ」、「パスワード」＝「１２３４５６」を受信し、「メールアドレス」＝「ａｋｏ＠ｙｙｙ．ｃｏ．ｊｐ」、「パスワード」＝「１２３４５６」により認証する。「メールアドレス」＝「ａｋｏ＠ｙｙｙ．ｃｏ．ｊｐ」、「パスワード」＝「１２３４５６」を満たすレコードが、機器制御画面情報管理表に存在するので、認証の結果をＯＫ（許可）とする。
【０１２９】
次に、サーバ装置１２３は、「メールアドレス」＝「ａｋｏ＠ｙｙｙ．ｃｏ．ｊｐ」、「パスワード」＝「１２３４５６」に対応する機器制御レコード（図２１の「ＩＤ」＝「４」「５」のレコード）を情報処理装置１１に送信する。
【０１３０】
次に、情報処理装置１１は、図２１の「ＩＤ」＝「４」「５」のレコードのうちの「ニックネーム」の属性値により、図２２に示すような画面を構成する。この画面は、電子機器にアクセスするための画面である。
【０１３１】
Ａ子さんは、図２２に表示された２つのニックネームのボタンの中から一つを選ぶ。次に、情報処理装置１１は、当該選択されたニックネームに該当する電子機器にアクセスし、当該電子機器を制御するための画面を表示する。なお、この画面を構成する情報（スクリプト等）は、電子機器にアクセスしたときに電子機器から送信される。また、当該ボタンの属性値として、電子機器のグローバルＩＰアドレス「２５０．１２８．２．１」とポート番号「１」または「２」が管理されている。そして、ニックネームが表示されたボタンを選択した場合に、ボタンの属性値である電子機器のグローバルＩＰアドレスとポート番号を取得して、当該電子機器にアクセスする。
【０１３２】
その後、Ａ子さんは、電子機器を制御するための画面を用いて、遠隔から電子機器を制御する。かかる動作は、実施の形態１で述べた動作と同様である。
【０１３３】
以上、本実施の形態によれば、電子メールアドレスなどの簡易なユーザ識別情報を利用し、電子機器を遠隔から安全に操作でき、かつ、遠隔から電子機器に操作するための管理情報を簡単に登録できる。
【０１３４】
なお、本実施の形態によれば、機器制御画面情報管理表を保持しているサーバ装置は、一つであったが、２以上存在しても良い。つまり、電子機器や第二情報処理装置がアクセスするサーバ装置は、電子機器のメーカーや種類等によって異なっても良い。
【０１３５】
また、本実施の形態において、第二情報処理装置は、登録情報を入力する画面の情報をサーバ装置に要求して、当該情報から画面を表示し、当該画面に基づいて登録情報を入力したが、かかる処理は必須ではない。つまり、第二情報処理装置は、登録情報入力受付部で受け付けた登録情報をサーバ装置に送信するだけの処理でも良い。
【０１３６】
（実施の形態３）
図２３は、本実施の形態における情報処理システムのブロック図である。本情報処理システムは、情報処理装置１１、ポータル装置２３２、サーバ装置１３（１３（１）、１３（２）・・・１３（ｎ））、ルーター１４、電子機器１５（１５（１）、１５（２）・・・１５（ｎ））を有する。
【０１３７】
ポータル装置２３２は、サーバ装置アクセス情報格納部２３２０１、アクセス命令受信部１２０２、機器制御画面情報中継部２３２０３を具備する。
【０１３８】
サーバ装置アクセス情報格納部２３２０１は、２以上のサーバ装置にアクセスするための情報であるサーバ装置アクセス情報を格納している。サーバ装置アクセス情報格納部２３２０１は、不揮発性の記録媒体が好適であるが、揮発性の記録媒体でも実現可能である。
【０１３９】
機器制御画面情報中継部２３２０３は、アクセス命令受信部１２０２がアクセス命令を受信した場合に、サーバ装置アクセス情報格納部１２０１のサーバ装置アクセス情報に基づいて２以上のサーバ装置にアクセスし、アクセス命令が有するユーザ識別情報に対応する１以上の機器制御レコードを有する機器制御画面情報を１以上のサーバ装置から受信し、当該機器制御画面情報を情報処理装置１１に送信する。機器制御画面情報中継部２３２０３は、無線または有線の通信手段およびソフトウェア等で実現され得る。
【０１４０】
以下、本情報処理システムの動作について説明する。情報処理装置１１、サーバ装置１３、ルーター１４、電子機器１５の動作については上述したので、ここでは、ポータル装置２３２の動作について図２４のフローチャートを用いて説明する。
【０１４１】
（ステップＳ２４０１）アクセス命令受信部１２０２は、情報処理装置１１からアクセス命令を受信したか否かを判断する。アクセス命令を受信すればステップＳ２４０２に行き、アクセス命令を受信しなければステップＳ２４０１に戻る。
【０１４２】
（ステップＳ２４０２）カウンタｉに１を代入する。
【０１４３】
（ステップＳ２４０３）機器制御画面情報中継部２３２０３は、サーバ装置アクセス情報格納部１２０１に格納されているｉ番目のサーバ装置アクセス情報を取得する。
【０１４４】
（ステップＳ２４０４）機器制御画面情報中継部２３２０３は、ｉ番目のサーバ装置アクセス情報が存在するか否かを判断する。ｉ番目のサーバ装置アクセス情報が存在すればステップＳ２４０５に行き、ｉ番目のサーバ装置アクセス情報が存在しなければステップＳ２４０７に飛ぶ。
【０１４５】
（ステップＳ２４０５）機器制御画面情報中継部２３２０３は、ステップＳ２４０３で取得したサーバ装置アクセス情報によりアクセスできるサーバ装置１３にアクセスし、機器制御画面情報の送信を指示する。なお、かかる指示には、アクセス命令が有するユーザ識別情報が含まれる。
【０１４６】
（ステップＳ２４０６）カウンタｉをインクリメントする。ステップＳ２４０３に戻る。
【０１４７】
（ステップＳ２４０７）カウンタｊに１を代入する。
【０１４８】
（ステップＳ２４０８）機器制御画面情報中継部２３２０３は、ｊがｉ未満であるか否かを判断する。ｊがｉ未満であればステップＳ２４０９に行き、ｊがｉ未満でなければステップＳ２４１１に飛ぶ。
【０１４９】
（ステップＳ２４０９）機器制御画面情報中継部２３２０３は、送信した指示に対応して、機器制御画面情報をサーバ装置１３から受信したか否かを判断する。機器制御画面情報を受信すればステップＳ２４１０に行き、機器制御画面情報を受信しなければステップＳ２４０９に戻る。
【０１５０】
（ステップＳ２４１０）機器制御画面情報中継部２３２０３は、ステップＳ２４０９で受信した機器制御画面情報をメモリに格納する。
【０１５１】
（ステップＳ２４１１）ｊをインクリメントする。ステップＳ２４０８に戻る。
【０１５２】
（ステップＳ２４１２）機器制御画面情報中継部２３２０３は、ステップＳ２４１０でメモリに格納した２以上の機器制御画面情報をすべて、情報処理装置１１に送信する。かかる送信の段階で、機器制御画面情報中継部２３２０３は、２以上の機器制御画面情報を合成する処理などを行う場合がある。
【０１５３】
なお、図２４のフローチャートによれば、すべてのサーバ装置から機器制御画面情報を受信することになるが、必ずしもすべてのサーバ装置から機器制御画面情報を受信する必要はない。すべてのサーバ装置から機器制御画面情報を受信するとは限らない場合は、タイムアウトにより、サーバ装置から機器制御画面情報を受信する処理を終了し、ステップＳ２４１１に移行しても良い。
【０１５４】
以下、本実施の形態における情報処理システムの具体的な動作について説明する。本情報処理システムの概念図を図２５に示す。本情報処理システムは、情報処理装置１１、ポータル装置２３２、サーバ装置１３（１）、１３（２）、１３（３）、ルーター１４、電子機器１５（１５（１）、１５（２）、・・・１５（ｎ））を有する。なお、図２５において、３つのサーバ装置１３が存在するが、特に３つである必要はなく、複数であれば良い。
【０１５５】
今、ポータル装置２３２は、図２６のサーバ装置アクセス情報管理表をサーバ装置アクセス情報格納部２３２０１に格納している。サーバ装置アクセス情報管理表は、ポータル装置２３２がサーバ装置にアクセスするためのサーバ装置のＩＰアドレス等を管理している。サーバ装置アクセス情報管理表は、「ＩＤ」「サーバ装置」「サーバ装置アクセス情報」を有するレコードを１以上管理している。「ＩＤ」は、レコードを識別する情報である。「サーバ装置」は、サーバ装置の名称を示す。「サーバ装置アクセス情報」は、サーバ装置のＩＰアドレスである。
【０１５６】
また、Ａ社のサーバ（サーバ装置１３（１））には、図２７の機器制御画面情報管理表が格納されている。図２７の機器制御画面情報管理表には、Ａ社が製造した電子機器を制御するための情報が格納されている。つまり、Ａ社製の電子機器には、Ａ社サーバのＩＰアドレスが格納されており、Ａ社製の電子機器がネットワークに接続された場合に、Ａ社サーバに電子機器アクセス情報が自動的に通知される。かかる処理は、実施の形態２で説明した処理と同様である。また、ユーザは、図示しない第二情報処理装置により、ニックネーム、ユーザ識別情報、パスワードを入力し、Ａ社サーバに送信する。かかる処理も実施の形態２で説明した処理と同様である。以上の処理により、図２７の機器制御画面情報管理表が構成される。機器制御画面情報管理表は、「ＩＤ」「電子機器アクセス情報」「ニックネーム」「ユーザ識別情報」「パスワード」を有する。かかる表の構造は、図１７の機器制御画面情報管理表の構造と同じであるので、ここでの詳細な説明は省略する。
【０１５７】
また、Ｂ社のサーバ（サーバ装置１３（２））には、図２８の機器制御画面情報管理表が格納されている。さらに、Ｃ社のサーバ（サーバ装置１３（３））には、図２９の機器制御画面情報管理表が格納されている。図２８、図２９の機器制御画面情報管理表には、それぞれ、Ｂ社製、Ｃ社製の電子機器にアクセスするための情報が格納されている。
【０１５８】
以上の状況で、Ｘさんが自分の携帯端末（情報処理装置１１）を用いて、ポータル装置２３２にアクセスした、とする。なお、情報処理装置１１にはポータル装置２３２にアクセスするためのポータル装置２３２のＩＰアドレス（または、電話番号等）は格納されている。次に、情報処理装置１１は、ポータル装置２３２から電子機器に遠隔からアクセスするためのメニュー画面の情報を受け取り、表示する。かかる画面の表示例を、図３０に示す。ユーザは、図３０の画面の指示に従い、メールアドレスとパスワードを入力し、「送信」ボタンにフォーカスがあるときに、「決定」ボタンを押下する。今、Ｘさんは、メールアドレス「ｂｂｂ＠ａｂｃ．ｃｏ．ｊｐ」、パスワード「７６５４３２」を入力し、「決定」ボタンを押下した、とする。
【０１５９】
次に、情報処理装置１１は、図３１の情報を構成し、当該情報をポータル装置２３２に送信する。図３１の情報は、情報処理装置１１と通信をするための情報処理装置１１の電話番号、入力されたメールアドレス、入力されたパスワードを有する。
【０１６０】
次に、ポータル装置２３２は、図３１の情報を受信する。そして、ポータル装置２３２は、図２６で管理されているサーバ装置アクセス情報に基づいて、順に図３１の情報をサーバ装置に送信する。まず、ポータル装置２３２は、「Ａ社サーバ」に図３１の情報を送信する。次に、ポータル装置２３２は、「Ｂ社サーバ」に図３１の情報を送信する。さらに、ポータル装置２３２は、「Ｃ社サーバ」に図３１の情報を送信する。
【０１６１】
次に、「Ａ社サーバ」は、図３１の情報を受信し、図３１の情報のメールアドレス「ｂｂｂ＠ａｂｃ．ｃｏ．ｊｐ」、パスワード「７６５４３２」をもとに認証を行う。認証の結果、メールアドレス「ｂｂｂ＠ａｂｃ．ｃｏ．ｊｐ」、パスワード「７６５４３２」に合致するレコードが図２７の機器制御画面情報管理表に存在するので、正当なユーザからの問合せである、と判断し、メールアドレス「ｂｂｂ＠ａｂｃ．ｃｏ．ｊｐ」、パスワード「７６５４３２」に合致するレコードを検索する。そして、「Ａ社サーバ」は、図３２に示す情報を構成する。図３２に示す情報は、電子機器アクセス情報とニックネームを有する。次に、「Ａ社サーバ」は、図３２の情報をポータル装置２３２に送信する。
【０１６２】
同様に、「Ｂ社サーバ」「Ｃ社サーバ」も上記の処理を行う、メールアドレス「ｂｂｂ＠ａｂｃ．ｃｏ．ｊｐ」、パスワード「７６５４３２」に合致するレコードを検索し、当該レコードが有する電子機器アクセス情報とニックネームをポータル装置２３２に送信する。
【０１６３】
ポータル装置２３２は、３つのサーバ装置から情報を受信し、合成する。情報の合成結果は、図３３である。図３３において、３つのサーバ装置から受信した情報が存在する。なお、ここでいう合成とは、単に情報を結合するだけの処理等でも良い。次に、ポータル装置２３２は、図３３の情報を情報処理装置１１に送信する。
【０１６４】
次に、情報処理装置１１は、図３３の情報を受信し、当該情報のうちの「ニックネーム」を用いて、図３４に示すような、電子機器にアクセスするための画面を構成する。Ｘさんは、図３４の画面のメニュー項目のうち、制御したい電子機器の項目を選択し、「決定」ボタンを押下する。
【０１６５】
次に、情報処理装置１１は、当該メニュー項目に対応する電子機器に、電子機器アクセス情報（既に受信済み）を用いてアクセスし、当該電子機器から電子機器を制御するための画面を構成するスクリプト（例えば、Ｃ−ＨＴＭＬで記述されている）を取得し、画面表示する。この画面表示の例は、図１１である。なお、図１１は、ビデオの制御画面の例であり、Ｘさんが「Ｐ社ビデオ」のメニュー項目を選択したときに、例えば、図１１の画面が情報処理装置１１に表示される。
【０１６６】
以上、本実施の形態によれば、電子メールアドレスなどの簡易なユーザ識別情報を利用し、複数のサーバ装置から電子機器の制御のための情報を取得し、電子機器を遠隔から安全に操作できる。
【０１６７】
なお、本実施の形態によれば、各サーバ装置への電子機器アクセス情報やニックネームやユーザ識別情報やパスワードの登録方法について、詳細に述べなかったが、かかる登録方法は、実施の形態２で述べた登録方法と同様である。実施の形態３では、電子機器により、電子機器アクセス情報やニックネーム等の情報を登録するサーバ装置が異なることが、実施の形態２と異なるところである。
【発明の効果】
以上のように、本発明によれば、メールアドレス等の、通常ユーザが記憶しているユーザ識別情報により、遠隔地から電子機器を制御できる。
【図面の簡単な説明】
【図１】実施の形態１における情報処理システムの概念図
【図２】実施の形態１における情報処理システムのブロック図
【図３】実施の形態１における情報処理装置の動作について説明するフローチャート
【図４】実施の形態１におけるポータル装置の動作について説明するフローチャート
【図５】実施の形態１におけるサーバ装置の動作について説明するフローチャート
【図６】実施の形態１における機器制御画面情報管理表を示す図
【図７】実施の形態１におけるユーザ認証管理表を示す図
【図８】実施の形態１におけるメニュー画面の例を示す図
【図９】実施の形態１におけるアクセス命令の構造の例を示す図
【図１０】実施の形態１における出力画面の例を示す図
【図１１】実施の形態１における出力画面の例を示す図
【図１２】実施の形態２における情報処理システムのブロック図
【図１３】実施の形態２における電子機器の動作について説明するフローチャート
【図１４】実施の形態２におけるサーバ装置の動作について説明するフローチャート
【図１５】実施の形態２における第二情報処理装置の動作について説明するフローチャート
【図１６】実施の形態２における情報処理システムの概念図
【図１７】実施の形態２における機器制御画面情報管理表を示す図
【図１８】実施の形態２における機器制御画面情報管理表を示す図
【図１９】実施の形態２における登録情報入力画面の出力例を示す図
【図２０】実施の形態２における登録情報の例を示す図
【図２１】実施の形態２における機器制御画面情報管理表を示す図
【図２２】実施の形態２における出力画面の例を示す図
【図２３】実施の形態３における情報処理システムのブロック図
【図２４】実施の形態３におけるポータル装置の動作について説明するフローチャート
【図２５】実施の形態３における情報処理システムの概念図
【図２６】実施の形態３におけるサーバ装置アクセス情報管理表を示す図
【図２７】実施の形態３における機器制御画面情報管理表を示す図
【図２８】実施の形態３における機器制御画面情報管理表を示す図
【図２９】実施の形態３における機器制御画面情報管理表を示す図
【図３０】実施の形態３における画面の表示例を示す図
【図３１】実施の形態３におけるポータル装置に送信する情報の例を示す図
【図３２】実施の形態３におけるサーバ装置が構成する情報の例を示す図
【図３３】実施の形態３における情報の合成結果の例を示す図
【図３４】実施の形態３における電子機器にアクセスするための画面の例を示す図
【符号の説明】
１１  情報処理装置
１２、２３２  ポータル装置
１３、１２３  サーバ装置
１４  ルーター
１５、１２５  電子機器
１２６  第二情報処理装置
１１０１  アクセス命令受付部
１１０２  ポータル装置アクセス情報格納部
１１０３  機器制御画面情報取得部
１１０４  機器制御画面出力部
１１０５  機器制御入力受付部
１１０６  電子機器アクセス部
１２０１、２３２０１  サーバ装置アクセス情報格納部
１２０２  アクセス命令受信部
１２０３、２３２０３  機器制御画面情報中継部
１３０１  機器制御画面情報格納部
１３０２  機器制御画面情報送信部
１５０１  電子機器識別子格納部
１５０２  動作部
１２３０１  電子機器情報受信部
１２３０２  電子機器情報蓄積部
１２３０３  入力画面情報送信部
１２３０４  登録情報受信部
１２３０５  登録情報蓄積部
１２５０１  第二サーバ装置アクセス情報格納部
１２５０２  電子機器情報送信部
１２６０１  第三サーバ装置アクセス情報格納部
１２６０２  登録情報入力画面要求受付部
１２６０３  登録情報入力画面情報受信部
１２６０４  登録情報入力画面出力部
１２６０５  登録情報入力受付部
１２６０６  登録情報送信部
【図１】
2004200854.tif 000003
【図２】
2004200854.tif 000004
【図３】
2004200854.tif 000005
【図４】
2004200854.tif 000006
【図５】
2004200854.tif 000007
【図６】
2004200854.tif 000008
【図７】
2004200854.tif 000009
【図８】
2004200854.tif 000010
【図９】
2004200854.tif 000011
【図１０】
2004200854.tif 000012
【図１１】
2004200854.tif 000013
【図１２】
2004200854.tif 000014
【図１３】
2004200854.tif 000015
【図１４】
2004200854.tif 000016
【図１５】
2004200854.tif 000017
【図１６】
2004200854.tif 000018
【図１７】
2004200854.tif 000019
【図１８】
2004200854.tif 000020
【図１９】
2004200854.tif 000021
【図２０】
2004200854.tif 000022
【図２１】
2004200854.tif 000023
【図２２】
2004200854.tif 000024
【図２３】
2004200854.tif 000025
【図２４】
2004200854.tif 000026
【図２５】
2004200854.tif 000027
【図２６】
2004200854.tif 000028
【図２７】
2004200854.tif 000029
【図２８】
2004200854.tif 000030
【図２９】
2004200854.tif 000031
【図３０】
2004200854.tif 000032
【図３１】
2004200854.tif 000033
【図３２】
2004200854.tif 000034
【図３３】
2004200854.tif 000035
【図３４】
2004200854.tif 000036